(57)【要約】【課題】  アクチュエータの幅が広くなり、またチルト駆動用にマグネット２個とコイル２個が必要となり、コストアップになるという課題があった。【解決手段】  先端に対物レンズ１を保持したレンズホルダ２と、レンズホルダ２の略中央に取付けた２個のトラッキングコイル５と、レンズホルダ２の対物レンズ１側に取付けたフォーカスコイル６と、レンズホルダ２の後端に取付けたチルトコイル７と、複数本のサスペンションワイヤ３によって前記レンズホルダ２を後端側から支持するサスペンションベース４と、２個のトラッキングコイル５とフォーカスコイル６とを共に挟むようにベース８上に固定した２個の１極マグネット9と、チルトコイル７を挟むようにベース８上に固定した２個の４極マグネット１０とを有する。【選択図】      図１
2007012164.tif 000002
【特許請求の範囲】
【請求項１】
光ピックアップを構成する対物レンズに対してトラッキング駆動、フォーカス駆動、チルト駆動が可能な構成を有する光ピックアップのアクチュエータであって、
先端に前記対物レンズを保持したレンズホルダと、
前記レンズホルダの略中央に取付けた２個のトラッキングコイルと、
前記レンズホルダの前記対物レンズ側に取付けたフォーカスコイルと、
前記レンズホルダの後端に取付けたチルトコイルと、
複数本のサスペンションワイヤによって前記レンズホルダを前記後端側から支持するサスペンションベースと、
前記２個のトラッキングコイルと前記フォーカスコイルとを共に挟むようにベース上に固定した２個の１極マグネットと、
前記チルトコイルを挟むように前記ベース上に固定した２個の４極マグネットとを有することを特徴とする光ピックアップのアクチュエータ。
【発明の詳細な説明】
【技術分野】
【０００１】
本発明は、光ピックアップのアクチュータに関する。
【背景技術】
【０００２】
従来、フォーカスコイルを左右２個設け、左右の駆動力を変えることにより、チルト駆動を行う構成の光ピックアップがある（例えば特開２００３−１４１７６０号公報）。
また、２個のマグネットをレンズホルダに取付け、ベース側にチルト駆動用コイルを設け、チルト駆動を行う構成の光ピックアップ装置がある（例えば特開２００３−２２５５２号公報）。
【特許文献１】特開２００３−１４１７６０号公報
【特許文献２】特開２００３−２２５５２号公報
【発明の開示】
【発明が解決しようとする課題】
【０００３】
上記した光ピックアップにおけるアクチュータでは、フォーカスコイルを左右に２個使用しているため、アクチュエータの幅が広くなり、光ディスクを回転駆動するスピンドルモータに対物レンズを近づけることができず、また光ディスク内周側へ大きく寄ることができないから、光ディスクの径がある程度大きくなるという問題があった。
【０００４】
また、上記した光ピックアップ装置におけるアクチュータでは、チルト駆動用にマグネット２個とコイル２個が必要となり、コストアップになるという問題があった。
そこで本発明は上記した課題に鑑みて創案されたものであり、対物レンズと逆側に設けたチルトコイルと、このチルトコイルを挟むようにベースに取付けた２個の４極マグネットにより、チルト駆動を行うことでアクチュエータの幅はチルト駆動無しの場合と同じで良いので、スピンドルモータに対物レンズをより近づけることができ、また光ディスク内周側へ大きく寄ることができるので、光ディスクの径をある程度小さくでき、またマグネットを4極にすることにより、1個のチルトコイルでチルト駆動をすることができ、この結果よりスペースが小となり、コストを削減することが可能である光ピックアップのアクチュエータを提供することを目的とする。
【課題を解決するための手段】
【０００５】
本発明は、上述した課題を解決するため、次の構成を有する光ピックアップのアクチュエータを提供する。即ち、
(１)  図１、図２に示すように、
光ピックアップを構成する対物レンズ１に対してトラッキング駆動、フォーカス駆動、チルト駆動が可能な構成を有する光ピックアップのアクチュエータであって、
先端に前記対物レンズ１を保持したレンズホルダ２と、
前記レンズホルダ２の略中央に取付けた２個のトラッキングコイル５と、
前記レンズホルダ２の前記対物レンズ１側に取付けたフォーカスコイル６と、
前記レンズホルダ２の後端に取付けたチルトコイル７と、
複数本のサスペンションワイヤ３によって前記レンズホルダ２を前記後端側から支持するサスペンションベース４と、
前記２個のトラッキングコイル５と前記フォーカスコイル６とを共に挟むようにベース８上に固定した２個の１極マグネット9と、
前記チルトコイル７を挟むように前記ベース８上に固定した２個の４極マグネット１０とを有することを特徴とする光ピックアップのアクチュエータ。
【発明の効果】
【０００６】
本発明によれば、対物レンズと逆側に設けたチルトコイルと、このチルトコイルを挟むようにベースに取付けた２個の４極マグネットにより、チルト駆動を行うことでアクチュエータの幅はチルト駆動無しの場合と同じで良いので、スピンドルモータに対物レンズをより近づけることができ、また光ディスク内周側へ大きく寄ることができるので、光ディスクの径をある程度小さくでき、またマグネットを4極にすることにより、1個のチルトコイルでチルト駆動をすることができ、この結果よりスペースが小となり、コストを削減することが可能である光ピックアップのアクチュエータを提供することができる。
【発明を実施するための最良の形態】
【０００７】
以下、本発明を実施するための最良の実施の形態について、図に沿って詳細に説明する。
図1は本発明の外観斜視図、図２はチルト駆動の原理図である。
【０００８】
図1に本発明の実施例の全体斜視図を示す。
図1に示すように、先端に対物レンズ1が取付けられているレンズホルダ2はサスペンションワイヤ3によりサスペンションベース4に支持されており、レンズホルダ2には、略中央に2対のトラッキングコイル5が、対物レンズ側にはフォーカスコイル6が取付けられている。ベース8にはトラッキングコイル6とフォーカスコイル7を挟むように固定された2個の1極マグネット9が設けられており、トラッキングコイル5、フォーカスコイル6により、トラッキング方向とフォーカシング方向にレンズホルダ2が駆動される。
【０００９】
本発明では、図1示すように対物レンズ1と逆側にチルトコイル7を設け、チルトコイル7を挟むようにベース8に2個の4極マグネット10を固定することにより、チルト駆動を可能にした。
【００１０】
図2にチルト駆動の原理を示す。
図2に示すようにマグネット10は4極に着磁されており、チルトコイル7に電流を流すと、上下のコイル部で左右逆向きの力が働き、図2の状態では時計回りのチルト駆動力が働く。電流を逆向きに流すと、半時計方向のチルト駆動力が働くことになる。サスペンションワイヤ3はフォーカス駆動、トラッキング駆動、チルト駆動を行うため6本必要となる。
【図面の簡単な説明】
【００１１】
【図１】本発明の外観斜視図
【図２】チルト駆動の原理図
【符号の説明】
【００１２】
１  対物レンズ
２  レンズホルダ
３  サスペンションワイヤ
４  サスペンションベース
５  トラッキングコイル
６  フォーカスコイル
７  チルトコイル
８  ベース
９  １極マグネット
１０  ４極マグネット
【図１】
2007012164.tif 000003
【図２】
2007012164.tif 000004